(57)【要約】【課題】  レジン床との結合手段が、人工歯の裏側に設けられないよう構成する、義歯に用いる金属床及びそれを使用した義歯、義歯における金属床のリベース方法を提供する。また、金属床を備えた義歯のリベースが簡単にできるようにしたものを提供する。【解決手段】  義歯Ｇは人工歯１と義歯床２を備えている。義歯床２は、金属床２０の周りにレジン床２１を設けて構成されている。金属床２０の縁部にはレジン結合部２００が形成されている。レジン結合部２００は、縁部を構成する薄板を上縁部２０５と下縁部２０６に分離してあり、間には空間部２０１が設けらている。義歯Ｇは、レジン結合部２００の空間部２０１内に、レジン床２１を構成するレジンを入り込ませて固めることで、人工歯１を有するレジン床２１と金属床２０とを一体化して構成されている。【選択図】図４
2006326367.tif 000002
【特許請求の範囲】
【請求項１】
義歯を構成する金属床であって、
レジン床との結合手段または結合部が、人工歯の裏側に設けられないよう構成してあることを特徴とする、
金属床。
【発明の詳細な説明】
【技術分野】
【０００１】
本発明は、義歯に用いる金属床及びそれを使用した義歯、義歯における金属床のリベース方法に関する。
更に詳しくは、レジン床との結合手段または結合部が、人工歯の裏側に設けられないよう構成したものに関する。
また、金属床を備えた義歯について、人工歯を再利用するためのリベースが簡単にできるようにするものに関する。
【背景技術】
【０００２】
例えば、歯が全部失われた場合では、義歯として、人工歯と義歯床で構成してある全部床義歯が用いられる。この全部床義歯を構成する義歯床は、全部がレジンでつくられたレジン床で構成してあるものと、天井部分（口蓋）に接する部分が金属床で形成してあり、それ以外の部分がレジン床で構成してあるものとがある。
【０００３】
義歯床の全部がレジン床でつくられた義歯は、比較的簡単に製造できるという利点があるものの、強度的に口蓋に接する部分に所要の厚みを持たせなければならなかったので、装着時に違和感が生じ易いという欠点がある。
【０００４】
一方、金属床を備える義歯には、製造工程が複雑なので高価であり、義歯自体の重量も増すという欠点がある。
しかしながら、口蓋に接する部分が薄く形成できるので全部がレジン床のものよりも装着感が良く、また熱感にも優れるので味覚も損ない難く、更には発音機能にも影響を及ぼし難いという利点がある。
一般的に全部がレジン床であるものよりも金属床を備えたものの方が利点が多く、優れているとされている。
【０００５】
全部がレジン床である義歯は、通常、次のような工程を経て製造される。
人工歯を取り付けて形作った蝋義歯（人工歯を支える歯肉部分が蝋で形成してある）をフラスコ（液状の石膏やレジンを注入するための金属容器）の一方の容器内に設けた、まだ固化していない石膏に埋めて固定する。
上記フラスコの一方の容器に、対応する他方の容器を被せて取り付け、フラスコ内に石膏を注入する。
石膏が固まった後、フラスコに湯等により熱を加えて、人工歯を支えていた蝋をフラスコより流し出す（ロストワックス法）。
蝋により形成されたフラスコ内の空隙部にレジンを注入する。
【０００６】
また、金属床９０を備える義歯９も、略同様の工程を経て製造される（図１７、図１８、図１９参照）。
口蓋に接する部分を持たない蝋義歯と、口蓋に接する金属床９０とを蝋を設けて仮に一体化する。
金属床９０には、口蓋に接する部分の周りに網状の結合部９００（スケルトンとも称される）が張り出して設けてある（図１６参照）。結合部９００は、レジンが金属と化学的に結合しないので、物理的にレジンで覆うことでレジンと金属とを結合させるものである。金属床９０は、蝋で結合部９００を包むよう覆うことで蝋義歯と一体化してある。
【０００７】
一体化した蝋義歯と金属床９０をフラスコの一方の容器内に設けた、まだ固化していない石膏に埋めて固定する。
上記フラスコの一方の容器に他方の容器を取り付け、フラスコ内に石膏を注入し、固まった後、湯等により熱を加えて蝋を流し出す。
蝋により形成されたフラスコ内の空隙部にレジンを注入し、レジンを結合部の網目に入り込ませて、金属床９０とレジンとを物理的に結合する。
【０００８】
このようにして製造された義歯は、歯のぬけた部分や口蓋の粘膜に、唾液を介して動いたり外れたりしないようにぴったりとくっつく。
【０００９】
しかし、口腔内の状態は年齢と共に変化するので、これに伴い義歯は口蓋に接する部分が次第に合わなくなり、段々と外れ易くなる。
合わなくなった義歯は、リベース（人工歯はそのままで義歯床を新しい粘膜の形に合わせる作業をいう）をするか、新しく作り直さなければならない。
【００１０】
義歯床の全部がレジン床である義歯は、口蓋と接する部分もレジンでつくられており、レジン同士は化学的に結合するので、合わなくなった義歯の粘膜側に新しいレジンを追加することで、比較的簡単にリベース可能である。
【００１１】
しかし、金属床９０を備えたものは、金属とレジンとが化学的に結合しないので、上記した方法ではリベースすることができない。
また、合わなくなった金属床９０を取り外し、口蓋の形状に合うよう新しく形成した金属床と残ったレジン床９１とを一体化する方法も考えられるが、外した金属床９０の結合部９００がレジン床９１の人工歯９２の裏側（基底部）と重なる位置まで入り込んで物理的に結合しており、この部分が除去できないので、実際この方法も困難であった（図１７，図１８参照）。
つまり、金属床９０を備えた義歯９についてはリベース自体が困難であり、合わなくなれば新しく作り直される場合が殆どであった。
【発明の開示】
【発明が解決しようとする課題】
【００１２】
（本発明の目的）
そこで本発明の目的は、レジン床との結合手段または結合部が、人工歯の裏側に設けられないよう構成する、義歯に用いる金属床及びそれを使用した義歯、義歯における金属床のリベース方法を提供することにある。
また、本発明の他の目的は、金属床を備えた義歯について、人工歯を再利用するためのリベースが簡単にできるようにする、義歯に用いる金属床及びそれを使用した義歯、義歯における金属床のリベース方法を提供することにある。
【課題を解決するための手段】
【００１３】
上記目的を達成するために講じた本発明の手段は次のとおりである。
第１の発明にあっては、
義歯を構成する金属床であって、
レジン床との結合手段または結合部が、人工歯の裏側に設けられないよう構成してあることを特徴とする、
金属床である。
【００１４】
第２の発明にあっては、
結合手段または結合部は縁部に備えてあり、レジン床の一部を内部に入れて保持する空間部を備えて構成してあることを特徴とする、
第１の発明に係る金属床である。
【００１５】
第３の発明にあっては、
結合手段または結合部は空間部が上縁部と下縁部との間に設けられるよう形成してあることを特徴とする、
第２の発明に係る金属床である。
【００１６】
第４の発明にあっては、
結合手段または結合部を構成する上縁部または下縁部は、縁端形状が内外方向へまたは実質的に内外方向へ出入りするよう形成してあることを特徴とする、
第３の発明に係る金属床である。
【００１７】
第５の発明にあっては、
人工歯が固定してあるレジン床と、
第１，第２，第３または第４の発明に係る金属床と、
を備えて構成してあることを特徴とする、
義歯である。
【００１８】
第６の発明にあっては、
義歯における金属床のリベース方法であって、
レジン床との結合手段または結合部が、人工歯の裏側に設けられないよう構成してある金属床を義歯より外し、その後、口蓋の形状に合うよう新しく形成した金属床に付け替えることを特徴とする、
義歯における金属床のリベース方法である。
【００１９】
第７の発明にあっては、
義歯における金属床のリベース方法であって、
合わなくなった金属床を外すステップ、
口蓋の形状に合うよう新しく形成した第１，第２，第３または第４の発明に係る金属床と、上記ステップによって残ったレジン床との間に、溶融可能な固形結合手段を保持手段の空間部内に充填するよう設けて、新しい金属床とレジン床とを仮に一体化するステップ、
新しい金属床とレジン床を一体化したものを使用して鋳型を形成するステップ、
鋳型内の固形結合手段を溶融させて除去し、固形結合手段により形成された空隙部に液状のレジンを注入してレジン床を形成するステップ、
を含むことを特徴とする、
義歯における金属床のリベース方法である。
【００２０】
本発明にいう「義歯」という用語は、全部床義歯は勿論、部分床義歯をも含むものとして使用している。
【００２１】
本発明に係る金属床及びそれを使用した義歯、本発明に係るリベース方法で使用する義歯は、上顎用のものもあるし、下顎用のものもある。
【００２２】
結合手段または結合部を構成する上縁部と下縁部は、一方のみまたは両方について、縁端形状が内外方向へまたは実質的に内外方向へ出入りするよう形成することができる。
【００２３】
金属床を構成する材料としては，例えば、金合金，白金合金、コバルトクロム合金、ニッケルクロム合金、チタン合金等が使用可能である。また、金属床は、鋳造やプレス加工等により製造可能である。
【００２４】
（作  用）
本発明によれば、レジン床との結合手段または結合部が、人工歯の裏側に設けられないようにした義歯が製造できる。この義歯は、金属床の結合手段または結合部が、人工歯の裏側に設けられていないので、外してもレジン床の側には何も残らず、従って、簡単にリベースすることができる。つまり、本発明によれば、金属床を備えているものであるにも関わらず、簡単にリベース可能な義歯が製造できる。
【００２５】
結合手段または結合部が縁部に備えてあり、レジン床の一部を内部に入れて保持する空間部を備えて構成してあるものは、結合手段または結合部の空間部内にレジン床の一部を入れることで、金属床とレジン床が一体に結合できる。
【００２６】
空間部が上縁部と下縁部との間に設けられるよう形成してあるものは、レジンが空間部内に入り込むことで、いわばこの部分でレジン床を挟んだ状態になっているので、金属床はレジン床の上下方向に外れることがない。
【００２７】
保持手段を構成する上縁部または下縁部の縁端形状が、内外方向へまたは実質的に内外方向へ出入りするよう形成してあるものは、内方に凹んだ部分にはレジン床が凹んだ部分に入り込むよう設けられ、また、外方に膨らんだ部分はレジン床に入り込むよう設けられる。これにより金属床はレジン床のこれらの部分自体が抵抗になるので、横方向にスライドして外れることもない。
【発明の効果】
【００２８】
（ａ）本発明によれば、レジン床との結合手段または結合部が、人工歯の裏側に設けられないようにした義歯が製造できる。この義歯は、金属床の結合手段または結合部が、人工歯の裏側に設けられていないので、外してもレジン床の側には何も残らず、従って、簡単にリベースすることができる。つまり、本発明によれば、金属床を備えているものであるにも関わらず、簡単にリベース可能な義歯が製造できる。
【００２９】
（ｂ）結合手段または結合部が縁部に備えてあり、レジン床の一部を内部に入れて保持する空間部を備えて構成してあるものは、結合手段または結合部の空間部内にレジン床の一部を入れることで、金属床とレジン床が一体に結合できる。
【００３０】
（ｃ）空間部が上縁部と下縁部との間に設けられるよう形成してあるものは、レジンが空間部内に入り込むことで、いわばこの部分でレジン床を挟んだ状態になっているので、金属床はレジン床の上下方向に外れることがない。
【００３１】
（ｄ）保持手段を構成する上縁部または下縁部の縁端形状が、内外方向へまたは実質的に内外方向へ出入りするよう形成してあるものは、内方に凹んだ部分にはレジン床が凹んだ部分に入り込むよう設けられ、また、外方に膨らんだ部分はレジン床に入り込むよう設けられる。これにより金属床はレジン床のこれらの部分自体が抵抗になるので、横方向にスライドして外れることもない。
【発明を実施するための最良の形態】
【００３２】
本発明の実施の形態を図面に基づき更に詳細に説明する。
図１は本発明に係る義歯の一実施の形態を示す斜視図、
図２は図１に示す義歯を構成する金属床を示す斜視図、
図３は図１に示す義歯の底面図、
図４は図３に示す義歯のＡ−Ａ断面図、
図５は図３に示す義歯のＢ−Ｂ断面図である。
本実施の形態では、義歯の一形態として上顎用の全部床義歯を例に挙げて説明する。
【００３３】
符号Ｇは義歯を示している。義歯Ｇは人工歯１と義歯床２を備えている。義歯床２は、口蓋に接する部分となる金属床２０の周りにレジン床２１を設けて構成されている（図１参照）。
【００３４】
金属床２０について詳細に説明する（図２参照）。
金属床２０は、前歯側に位置する縁部が丸く形成してあり、全体が患者の口蓋の形状と合うように上方へ湾曲した曲面を有する薄板形状に形成されている。
金属床２０の縁部には、結合手段または結合部であるレジン結合部２００が形成されている。レジン結合部２００は、縁部を構成する薄板を上縁部２０５と下縁部２０６に分離してあり、間には空間部２０１が設けられている。これによりレジン床２１との一体化を図るときに、レジン床２１を構成するレジンの一部が空間部２０１に入り込むようできる。本実施の形態で空間部２０１は、上縁部２０５と下縁部２０６を断面略「＞」（または「＜」）型形状に形成して構成した（図４参照）。しかし、上記断面形状は限定するものではなく、他に例えば、断面略「コ」型形状、断面略「Ｖ」型形状、断面略「Ｕ」型形状、それらに類する形状にすることもできる。
【００３５】
レジン結合部２００を構成する下縁部２０６は、底面視及びＢ−Ｂ端面図に示すように、縁端形状が内外方向へ出入りするよう凹状部２０２を複数設けて、いわゆる波形形状になるよう形成されている（図２、図３、図５参照）。
また、レジン結合部２００を構成する上縁部２０５と下縁部２０６は、基部側が内方に窄まるよう形成してある（図３参照）。
【００３６】
義歯Ｇは、レジン結合部２００の空間部２０１内に、レジン床２１を構成するレジンを入り込ませて嵌めるよう固めることで、人工歯１を有するレジン床２１と金属床２０とを一体化して構成されている。この状態でレジン結合部２００は、金属床２０の外側に設けられた人工歯１の内側に位置している。また、このときレジン床２１の上面は、金属床２０のレジン結合部２００を構成する上縁部２０５の上面と略面一になり、レジン床２１の下面は、レジン結合部２００を構成する下縁部２０６の下面と略面一になっている。
【００３７】
図６ないし図１３を参照して、金属床２０の製造方法の一例を説明する。
図６は石膏型の所要位置に、レジン保持部の上縁部を形成するための蝋材を設けた状態を示す斜視説明図、
図７は図６に示す石膏型の縦断面説明図、
図８は図６に示す蝋材上にマスキング材を設けた状態を示す斜視説明図、
図９は図８に示す石膏型の縦断面説明図、
図１０は石膏型に蝋義歯等を仮固定し、更に図６に示す蝋材上に石膏を盛り上げた状態を示す縦断面説明図、
図１１は  レジン保持部の下縁部と、口蓋に接する部分とを形成するための蝋材を設けた状態を示す斜視説明図、
図１２は図１１に示す石膏型の縦断面説明図、
図１３は図１２に示す石膏型と対となる石膏型を設けた状態を示す縦断面説明図である。
【００３８】
まず、印象材を用いて患者の上顎の印象を採取し、石膏型を形成する。なお、図６において符号６０１で示す石膏型の凹状に湾曲した曲面部分は、患者の口蓋の形状を象った部分である。また、図６ないし図１３で示す符号５は溶融した金属を流し込むための湯道を示している。
【００３９】
形成した石膏型６０の堤部６００の内側部分に、レジン結合部２００の上縁部２０５を形成するためのシート状の蝋材４０を設ける（図６，図７参照）。蝋材４０は、堤部６００上に平面視において略「Ｕ」型状を有するよう設ける。
【００４０】
上記蝋材４０の内縁側に、所要幅を有するマスキング材４１を設ける（図８、図９参照）。
【００４１】
石膏型６０の堤部６００上に、人工歯１を備えた蝋義歯３（後に示すが、リベース時にあっては、義歯Ｇのうち金属床を外して残った部分）を載せて仮固定し、レジン結合部２００の空間部２０１を形成するための石膏４２を蝋材４０上に盛る（図１０参照）。石膏４２は、仮固定した蝋義歯３の歯肉３０を象った部分の表面となだらかに連続し、略面一になるよう盛る。このとき石膏４２はマスキング材４１の上に盛らないようにする。
【００４２】
石膏４２が固まった後、マスキング材４１を取り除き、石膏４２の表面にレジン結合部２００の下縁部２０６の縁端位置を決める外形線４３をペン等で記入する。外形線４３は、堤部６００の内側にあたる部分でリベースの際に支障を及ぼさない位置であれば、特に記入位置は限定するものではない。本実施の形態では凹状部２０２の底部分が蝋材４０の外縁端と略同じ位置にくるように設定した。
【００４３】
石膏４２上と、石膏４２で囲まれた曲面部分６０１上に、レジン結合部２００の下縁部２０６と、口蓋に接する部分とを形成するためのシート状の蝋材４４を設ける（図１１，図１２参照）。蝋材４４は、外形線４３からはみ出した部分をカッター等で切除する。なお、蝋材４４は外形線４３が透けて視認できるよう透明性を有するものを使用したが、これは限定するものではない。
【００４４】
最後に、蝋材４４を設けた石膏型６０を容器６５内に設置し、この容器６５内に対となる石膏型６１を形成するための石膏を注入する（図１３参照）。詳しくは、石膏型６１は石膏型６０を包み込むように形成する。石膏が固まった後、石膏型６０，６１を湯等に浸けたりして熱を加えて蝋材４０，４４を溶かし、湯道５または図示していない排出穴等から流し出す。これにより金属床２０を鋳造する鋳型が形成される。
【００４５】
そして、湯道５より溶融した液状の金属を石膏型６０，６１内に注入する。これにより金属床２０が製造される。
【００４６】
なお、金属床２０は、上記した方法で製造した鋳型を使用して製造することを限定するものではなく、他の方法により製造した鋳型を使用して製造することもできる。また、金属床は、鋳造による製造も特に限定するものではなく、鋳造以外の例えばプレス加工等で製造することもできる。
【００４７】
次に、図１４ないし図１６を参照して、金属床２０を使用した義歯Ｇの製造方法の一例を説明する。
図１４は金属床と蝋義歯との間に蝋を設けて、金属床と蝋義歯とを仮に一体化した状態を示す底面図、
図１５は図１４に示す金属床と蝋義歯とを一体化したものをフラスコ内に設けた状態を示す断面説明図、
図１６は蝋により形成されたフラスコ内の空隙部にレジンを注入した状態を示す断面説明図である。
なお、図１４及び図１５で示すかっこ内の符号は、後に記載する義歯Ｇにおける金属床のリベース方法のところで説明する。
【００４８】
まず、金属床２０と蝋義歯３との間に、蝋７０をレジン結合部２００の空間部２０１内にも充填するように設けて、金属床２０と蝋義歯３とを仮に一体化する（図１４参照）。蝋７０の上面は、蝋義歯３の歯肉３０の上側の表面と、金属床２０のレジン結合部２００を構成する上縁部２０５の上面と略面一になり、下面は、蝋義歯３の歯肉３０の下側の表面と、レジン結合部２００を構成する下縁部２０６の下面と略面一になるようしてある。この一体化は通常、手作業で行われるが限定するものではない。
【００４９】
金属床２０と蝋義歯３を一体化したものをフラスコの一方の容器８０内に設けた、まだ固化していない石膏８００に埋めて固定する。
上記フラスコの一方の容器８０に、対応する他方の容器８１を被せて取り付け、フラスコ内に石膏８１０を注入する（図１５参照）。
【００５０】
石膏８１０が固まった後、フラスコを湯等に浸けたりして熱を加えて、蝋義歯３を構成していた蝋と、金属床２０と蝋義歯３とを一体化させており、レジン結合部２００の空間部２０１内にも充填してあった蝋７０を湯道（図示省略）または図示していない排出穴等からフラスコより流し出す。この状態でフラスコ内には、人工歯１と金属床２０が残っている。
【００５１】
流れ出た蝋により形成されたフラスコ内の空隙部６６に湯道よりレジンを注入し、レジンが人工歯１の周りや金属床２０の空間部２０１内に入り込んでレジン床２１を形成する。こうしてレジン床２１によって人工歯１と金属床２０が一体化され、義歯Ｇが製造される。
【００５２】
義歯Ｇを構成する金属床２０は、従来の金属床が備えていた張り出した網目状の結合部は備えていない。
しかし、金属床２０は、縁部に形成したレジン結合部２００の空間部２０１内にレジンが入り込んでおり、いわばこの部分でレジン床２１を挟んだ状態になっているので、図４における上下方向に外れることはない。
【００５３】
また、金属床２０は、レジン結合部２００を構成する下縁部２０６に凹状部２０２が形成してあり、奥歯側ではこの凹状部２０２にレジン床２１が対応するよう凸状部２１０を形成して入り込んでいることと（図５参照）、レジン結合部２００の基部側が内方に窄まるよう形成してあり、この部分にレジン床２１が対応するよう充填して掛合部２１１が形成されていることにより（図３参照）、この凸状部２１０や掛合部２１１自体が抵抗になり、図５における横方向にスライドして外れることもない。
【００５４】
義歯は、歯のぬけた部分や口蓋の粘膜に唾液を介して付いているだけなので、脱落を防ぐためにはできるだけ軽い方が望ましい。
義歯Ｇは、金属床２０において、従来の金属床が備えていた張り出した結合部がないので、従来のものより重量が軽くできる。
【００５５】
金属床２０を備える義歯Ｇのリベースは、従来技術の欄で説明したように、合わなくなった金属床を外し、口蓋の形状に合うよう新しく形成した金属床２０と残ったレジン床２１が一体化できれば実施可能である。
【００５６】
義歯Ｇは、結合部が張り出して形成されていない金属床２０を用いているので、金属床２０を外しても、レジン床２１に残部が残らないようにできる。従って、下記に示すようにして、人工歯１を備えたレジン床２１と金属床２０とを分離し、新しく合うよう形成した金属床２０ａと上記レジン床２１とを一体化すればリベース可能である（図１４参考）。
【００５７】
上記した図１４及び図１５を参考にしながら、義歯Ｇにおける金属床のリベース方法を説明する。
まず、合わなくなった金属床２０を外す。金属床２０はレジン結合部２００の縁部に沿ってレジン床２１をカッター等により切断して外す。
【００５８】
新しい金属床２５と、金属床２０を外したレジン床２１との間に、固形結合手段である蝋７１をレジン結合部２００の空間部２０１内にも充填するよう設けて、新しい金属床２５とレジン床２１とを仮に一体化する。
【００５９】
金属床２５とレジン床２１を一体化したものをフラスコの一方の容器８０内に設けた、まだ固化していない石膏８００に埋めて固定し、対応する他方の容器８１を被せて取り付け、フラスコ内に石膏８１０を注入する。
【００６０】
石膏８１０が固まった後、フラスコを湯等に浸けたりして熱を加えて、新しい金属床２５とレジン床２１とを一体化させており、レジン結合部２００の空間部２０１内にも充填してあった蝋７１を湯道（図示省略）または図示していない排出穴等からフラスコより流し出す。
【００６１】
流れ出た蝋７１により形成されたフラスコ内の空隙部６７にレジンを注入し、レジンが金属床２５のレジン結合部２００の空間部２０１内に入り込んでレジン床２１を形成する。注入したレジンは残ったレジン床２１と化学的に結合するので、これによりレジン床２１と金属床２０ａが一体化され、義歯Ｇがリベースされる。
【００６２】
このように義歯Ｇによれば、金属床を備えているものであるにも関わらず簡単にリベースが可能である。従って、「義歯床の全部がレジン床であるものより性能的に優れているものの、リベースの困難性故に使用に踏み切れない」という患者の心配を払拭することができる。
【００６３】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００６４】
【図１】本発明に係る義歯の一実施の形態を示す斜視図。
【図２】図１に示す義歯を構成する金属床を示す斜視図。
【図３】図１に示す義歯の底面図。
【図４】図３に示す義歯のＡ−Ａ断面図。
【図５】図３に示す義歯のＢ−Ｂ断面図。
【図６】石膏型の所要位置に、レジン保持部の上縁部を形成するための蝋材を設けた状態を示す斜視説明図。
【図７】図６に示す石膏型の縦断面説明図。
【図８】図６に示す蝋材上にマスキング材を設けた状態を示す斜視説明図。
【図９】図８に示す石膏型の縦断面説明図。
【図１０】石膏型に蝋義歯等を仮固定し、更に図６に示す蝋材上に石膏を盛り上げた状態を示す縦断面説明図。
【図１１】レジン保持部の下縁部と、口蓋に接する部分とを形成するための蝋材を設けた状態を示す斜視説明図。
【図１２】図１１に示す石膏型の縦断面説明図。
【図１３】図１２に示す石膏型と対となる石膏型を設けた状態を示す縦断面説明図。
【図１４】金属床と蝋義歯との間に蝋を設けて、金属床と蝋義歯とを仮に一体化した状態を示す底面図。
【図１５】図１４に示す金属床と蝋義歯とを一体化したものをフラスコ内に設けた状態を示す断面説明図。
【図１６】蝋により形成されたフラスコ内の空隙部にレジンを注入した状態を示す断面説明図。
【図１７】従来の金属床を示す斜視説明図。
【図１８】従来の金属床を備えた義歯を示す平面図。
【図１９】図１８に示すＣ−Ｃ断面図。
【符号の説明】
【００６５】
Ｇ  義歯
１  人工歯
２  義歯床
２０，２５  金属床
２００  レジン結合部
２０１  空間部
２０２  凹状部
２０５  上縁部
２０６  下縁部
２１  レジン床
２１０  凸状部
２１１  掛合部
３  蝋義歯
３０  歯肉
４０  蝋材
４１  マスキング材
４２  石膏
４３  外形線
４４  蝋材
５  湯道
６０，６１  石膏型
６００  堤部
６０１  曲面部分
６５  容器
６６  空隙部
６７  空隙部
７０，７１  蝋
８０，８１  容器
８００，８１０  石膏
９  義歯
９０  金属床
９００  結合部
９１  レジン床
９２  人工歯
【図１】
2006326367.tif 000003
【図２】
2006326367.tif 000004
【図３】
2006326367.tif 000005
【図４】
2006326367.tif 000006
【図５】
2006326367.tif 000007
【図６】
2006326367.tif 000008
【図７】
2006326367.tif 000009
【図８】
2006326367.tif 000010
【図９】
2006326367.tif 000011
【図１０】
2006326367.tif 000012
【図１１】
2006326367.tif 000013
【図１２】
2006326367.tif 000014
【図１３】
2006326367.tif 000015
【図１４】
2006326367.tif 000016
【図１５】
2006326367.tif 000017
【図１６】
2006326367.tif 000018
【図１７】
2006326367.tif 000019
【図１８】
2006326367.tif 000020
【図１９】
2006326367.tif 000021